(57)【特許請求の範囲】
【請求項１】
場合によっては少なくとも１個の他の制御要素を備えた細長い鍵棒（３）が、その外面に、少なくとも３つの制御溝（４，５，６）の少なくとも１つのセットを備え、この制御溝が主として鍵挿入方向に延びていて少なくとも部分的に互いに交叉しており、この制御溝のうちの１つの制御溝（６）が、互いにほぼ平行に延びる他の両制御溝（４，５）よりも深く形成されている、シリンダ錠のための鍵（１）において、ほぼ円筒状の鍵棒（３）が設けられ、立体的に湾曲しているこの鍵棒の外面に、主として鍵挿入方向に延び少なくとも部分的に互いに交叉する少なくとも１つの制御溝セットの制御溝（４，５，６）が穿設されていること、立体的に湾曲した鍵棒（３）の外面に沿って主として鍵挿入方向に延びる制御溝（４，５，６）が、その長さにわたって不規則に分配されかつ異なるように形成されたアンダーカットを有するように鍵棒（３）の外面に穿設されていることを特徴とする鍵。
【請求項２】
制御溝（４，５，６）が、立体的に湾曲した鍵棒（３）の外面に沿って延びる区間を備え、この区間のうちの、制御個所に配置された区間がほぼ鍵挿入方向に延び、制御個所の間に配置された区間が鍵挿入方向に対して斜めに延びていることを特徴とする請求項１記載の鍵。
【請求項３】
鍵軸（３）が中空に形成され、かつ２つの半割り部材を備え、この半割り部材が、鍵挿入方向に延びるその側方エッジで互いに連結され、各々１つの制御溝セットが立体的に湾曲した半割り部材の外面に穿設されていることを特徴とする請求項１または２記載の鍵。
【請求項４】
中空の鍵軸（３）の外面に、少なくとも１つの他の制御要素が設けられ、この制御要素が鍵挿入方向に延びる縦方向リブまたは縦方向溝（７）として形成されていることを特徴とする請求項３記載の鍵。
【請求項５】
中空の鍵軸（３）が管状に形成され、かつその円筒状の外面に２つの縦方向リブまたは縦方向溝（７）を備え、この縦方向リブまたは縦方向溝が、互いに向き合いかつ両半割り部材の連結線に沿って鍵挿入方向に延びていることを特徴とする請求項３または４記載の鍵。
【請求項６】
鍵軸（３）が中実に形成され、かつ２つの半割り部材を備え、この半割り部材が、その外面に各々１つの制御溝セットを備えていることを特徴とする請求項１または２記載の鍵。
【請求項７】
中実の鍵棒（３）の外面に、少なくとも１つの他の制御要素が設けられ、この制御要素が鍵挿入方向に延びる縦方向リブまたは縦方向溝（７）として形成されていることを特徴とする請求項６記載の鍵。
【請求項８】
中実の鍵棒（３）が、その円筒状の外面に、２つの縦方向リブまたは縦方向溝（７）を備え、この縦方向リブまたは縦方向溝が、互いに向き合いかつ両半割り部材の連結線に沿って鍵挿入方向に延びていることを特徴とする請求項６または７記載の鍵。
【請求項９】
各々の制御溝セットにおいて、立体的に湾曲した鍵棒（３）の外面に沿って延びる深い制御溝（６）が４つの制御個所高さを有し、立体的に湾曲した鍵棒（３）の外面に沿って延びる浅い制御溝（４，５）がそれぞれ３つの制御個所高さを有することを特徴とする請求項１〜８の少なくとも一つに記載の鍵。
【請求項１０】
各々の制御溝セットの制御溝（４，５，６）が、立体的に湾曲した鍵棒（３）の外面に穿設された凹部（１０）に達し、この凹部が、鍵尖端部の方に拡大して鍵尖端部の方に開放していることを特徴とする請求項１〜９の少なくとも一つに記載の鍵。
【請求項１１】
請求項１〜１１のいずれか一つに記載の鍵（１）のためのシリンダ錠（１１）において、円筒状鍵棒（３）を取り囲む少なくとも１つの第１のリング状制御要素（１５）と、円筒状鍵棒（３）を取り囲む少なくとも１つの第２のリング状制御要素（１６）とが鍵通路に沿って配置され、この第１の制御要素が、内向きに突出しかつ鍵棒（３）の浅い制御溝（４，５）に係合する第１の制御機構（１７）を備え、第２の制御要素が、内向きに突出しかつ鍵棒（３）の深い制御溝（６）に係合する第２の制御機構（１８）を備えていることと、更に、少なくとも１個のロック要素（２４）が設けられ、制御要素（１５，１６）が相応の位置にあるときに、円筒状ケース（１２）と相対的にコアスリーブ（１３）を回転させるための解放位置に、このロック要素を移動可能であることを特徴とするシリンダ錠。
【請求項１２】
リング状の第１の制御要素（１５）が、それぞれ２つの第２の制御機構（１７）を備え、この第２の制御機構が、内向きに突出し、かつ制御溝セットの浅い両制御溝（４，５）に係合することを特徴とする請求項１１記載のシリンダ錠。
【請求項１３】
リング状の第１と第２の制御要素（１５，１６）が鍵通路に沿って交互に配置されていることを特徴とする請求項１１または１２記載のシリンダ錠。
【請求項１４】
鍵通路に沿って、互いに隣接する２個のリング状制御要素（１５，１６）の間に、リング状の中間ディスク（１４）が配置され、この中間ディスクがコアスリーブ（１３）内に回転不能に保持され、この中間ディスクの両側から、軸方向の当接ピン（２１）が突出し、この当接ピンが、円弧の一部にわたってのみ延びかつ当接ピンにそれぞれ向き合った、両制御要素（１５，１６）の案内溝（１９，２０）に係合していることを特徴とする請求項１１〜１３のいずれか一つに記載のシリンダ錠。
【発明の詳細な説明】
【０００１】
【発明の属する技術分野】
本発明は、細長い鍵棒が、その外面に、少なくとも３つの制御溝の少なくとも１つのセットを備え、この制御溝が主として鍵挿入方向に延びていて少なくとも部分的に互いに交叉しており、この制御溝のうちの１つの制御溝が、互いにほぼ平行に延びる他の両制御溝よりも深く形成され、この場合鍵棒が、場合によっては少なくとも１個の他の制御要素を備えていてもよい、シリンダ錠のための鍵に関する。本発明は、更に、このような鍵のためのシリンダ錠に関する。
【０００２】
【従来の技術】
この種の従来の鍵は平鍵として形成されている。この平鍵の側面にはそれぞれ１つの制御溝セットが配置されている。このような平鍵は公知である（例えば特許文献１参照）。
【０００３】
【特許文献１】
オーストリア国特許第３８９５５９公報
【０００４】
【発明が解決しようとする課題】
本発明の課題は、錠と鍵のきわめて多数の異なる組み合わせが得られると共に、ロック安全性と合鍵安全性が高められる、シリンダ錠用鍵を提供することである。
【０００５】
【課題を解決するための手段】
この課題は、本発明に従い、ほぼ円筒状の鍵棒が設けられ、立体的に湾曲しているこの鍵棒の外面に、主として鍵挿入方向に延び少なくとも部分的に互いに交叉する少なくとも１つの制御溝セットの制御溝が穿設されていることによって解決される。
【０００６】
本発明による鍵の構造の場合、鍵棒の外周にわたって分配配置されかつ異なる角度で鍵棒に穿設された各々の制御溝セットの制御溝の立体的に異なる形状は、合鍵の製作を実質的に不可能にする。各々の制御溝セットの制御溝は、三次元的な立体曲線に沿って延びている。この立体曲線は、主として鍵挿入方向に延び、互いに立体的に組み合わせられ、そして互いに部分的に交叉している。たとえこの三次元的な立体曲線に沿って延びる制御溝が、それぞれ、平行な側壁を有する半径方向の溝として形成されていても、制御溝セットの３つの制御溝は、その側壁の異なる角度位置に基づいて、鍵棒に沿って連続して変化するアンダーカットを形成する。個々の制御溝セットの制御溝の、非常に複雑なこの立体的な形状は、確かに非常に高価なＣＮＣ機械によって精密に製作可能である。しかしながら制御溝のこの形状は、オリジナル鍵から、合鍵を作るために充分な精度を得ることをもはや不可能にする。
【０００７】
制御溝の立体的な形状を更に複雑にするために、立体的に湾曲した鍵棒の外面に沿って主として鍵挿入方向に延びる制御溝が、その長さにわたって不規則に分配されかつ異なるように形成されたアンダーカットを有するように鍵棒の外面に穿設されている。
【０００８】
制御溝セットの制御溝のアンダーカットのいろいろな組み合わせを行うために、個々の制御溝は、全体的にあるいは所々、半径方向の代わりに、それぞれの半径方向線に対して幾分斜めに、かつ互いに平行な側壁を有するように、鍵棒に穿設可能である。
【０００９】
本発明による鍵は、中空の鍵棒を備え、この鍵棒は、２つの半割り部材を備え、この半割り部材は、鍵挿入方向に延びるその側方エッジで互いに連結されている。この場合、各々１つの制御溝セットは、立体的に湾曲した半割り部材の外面に穿設されている。これは、本発明による鍵を強度的に非常に安定させ、同時に非常に容易な形成を可能にする。
【００１０】
本発明の他の特徴によれば、鍵軸が管状に形成され、かつその円筒状の外面に２つの縦方向リブまたは縦方向溝を備え、この縦方向リブまたは縦方向溝が、互いに向き合いかつ両半割り部材の連結線に沿って鍵挿入方向に延びている。この構造は、可逆式鍵としての鍵の使用を可能にする。
【００１１】
本発明の他の特徴によれば、鍵軸が中実に形成され、かつ２つの半割り部材を備え、この半割り部材が、その外面に各々１つの制御溝セットを備えている。
【００１２】
シリンダ錠への鍵の挿入を容易にし、同時に鍵棒の制御溝と協働するシリンダ錠の制御要素を、鍵の制御溝に合わせるために、本発明では、各々の制御溝セットの制御溝が、立体的に湾曲した鍵棒の外面に穿設された凹部に達し、この凹部が、鍵尖端部の方に拡大して鍵尖端部の方に開放している。
【００１３】
本発明によるシリンダ錠は、本発明による鍵の多数の組み合わせによって、一層安全なロックを行う。この場合、異なる多数の鎖錠のほかに、ロック安全性と侵入に対する安全性が高く、そして本発明によるシリンダ錠は、実際に、オリジナル鍵でしかロックすることができない。
【００１４】
本発明によるシリンダ錠は、円筒状鍵棒を取り囲む少なくとも１つの第１のリング状制御要素と、円筒状鍵棒を取り囲む少なくとも１つの第２のリング状制御要素とが鍵通路に沿って配置され、この第１の制御要素が、内向きに突出しかつ鍵棒の浅い制御溝に係合する第１の制御機構を備え、第２の制御要素が、内向きに突出しかつ鍵棒の深い制御溝に係合する第２の制御機構を備えていることと、更に、少なくとも１個のロック要素が設けられ、制御要素が相応の位置にあるときに、円筒状ケース（シリンダケース）と相対的にコアスリーブ（シリンダコア）を回転させるための解放位置に、このロック要素を移動可能であることを特徴とする。
【００１５】
本発明の他の特徴によれば、リング状の第１の制御要素が、それぞれ２つの第２の制御機構を備え、この第２の制御機構が、内向きに突出し、かつ制御溝セットの浅い両制御溝に係合する。この構造によって、リング状の第１の制御要素は、制御溝セットの制御溝の交叉個所でも、常にその制御機構によって、鍵棒の浅い制御溝に係合可能である。
【００１６】
本発明の他の特徴によれば、リング状の第１と第２の制御要素が鍵通路に沿って交互に配置されている。
【００１７】
本発明の他の特徴によれば、鍵通路に沿って、互いに隣接する２個のリング状制御要素の間に、リング状の中間ディスクが配置され、この中間ディスクがコアスリーブ内に回転不能に保持され、この中間ディスクの両側から、軸方向の当接ピンが突出し、この当接ピンが、円弧の一部にわたってのみ延びかつ当接ピンにそれぞれ向き合った、両制御要素の案内溝に係合している。シリンダ錠のこの構造は、本発明による鍵の回転範囲を所定の角度範囲に制限することを可能にする。この所定の角度範囲は、すべてのリング状制御要素にとって同じである、案内溝の円弧部分の大きさおよび位置によって定められる。
【００１８】
【発明の実施の形態】
次に、図に基づいて本発明の実施の形態を詳しく説明する。
【００１９】
本発明による鍵１の場合、鍵掴み部２から突出している、ほぼ円筒状に形成された鍵棒３が設けられている。この鍵棒の立体的（三次元的）に湾曲した外面には、互いに部分的に重なり合いかつ所々交叉している、少なくとも１つの制御溝セットの制御溝４，５，６が穿設されている。互いに角度をなして配置された個々の区間において直線状に延びる制御溝４，５，６（図６，７）は、主として鍵１の挿入方向に延び、大部分がこの挿入方向から少しだけずれている。各々の制御溝セットは、大部分が互いにほぼ平行に延びる少なくとも２つの浅い制御溝４，５と、この浅い両制御溝４，５と部分的に交叉する１つの深い制御溝６を備えている。
【００２０】
図示していない実施の形態によれば、鍵は中空の鍵棒を備えている。この鍵棒は、鍵挿入方向または鍵棒の縦方向に延びるその側方エッジで互いに連結された２つの半割り部材を備えている。この場合、それぞれ１つの制御溝セットが、各半割り部材の立体的に湾曲した外面に穿設されている。
【００２１】
他の実施の形態によれば、管状の鍵棒を備えた鍵が設けられている。この鍵棒の円筒状外面には、少なくとも１つの制御溝セットの複数の制御溝が穿設されている。
【００２２】
図に示した実施の形態は、中実に形成された鍵棒３を有する鍵１である。この鍵棒は、鏡像対称的に形成された２つの鍵棒半部を備えている。この鍵棒半部の外面には、それぞれ１つの制御溝のセットが穿設されている。
【００２３】
両実施の形態の場合、両半割り部材または両鍵棒半部の継目個所に、鍵挿入方向または鍵棒３の縦方向に延びる縦方向リブまたは縦方向溝７が設けられている。この縦方向リブまたは縦方向溝は、付属するシリンダ錠に挿入する際に鍵を挿入方向に案内する。鍵棒３の上面および／または下面には、浅い窪み８，９のような付加的な他の制御要素を設けることができる。
【００２４】
制御溝セットの制御溝４，５，６は、鍵の尖端の範囲において、前方に拡大して鍵尖端部の方に開放する凹部１０に達する。この凹部は、立体的に湾曲した鍵棒の外面に穿設されている。制御溝セットの浅い両制御溝４，５は、それぞれ少なくとも３つの制御個所を備えている。この制御個所は、深い制御溝６の少なくとも４つの制御個所に対して、鍵棒３の縦方向にずらして配置されている。図６，７に示した制御溝の実施の形態の場合、浅い両制御溝４，５（図７）の６個の制御個所が、深い制御溝６（図６）の６個の制御個所に対して鍵軸３の縦方向にそれぞれ間隙をおいてずらして配置されている。制御溝セットのすべての制御溝４，５，６の場合、制御個所に対応する制御個所高さは、制御個所毎に変更可能である。
【００２５】
図８は、シリンダ錠１１の縦断面を示している。このシリンダ錠の場合、円筒状の外側のケース１２内に円筒状のコアスリーブ１３が配置されている。このコアスリーブは、縦方向に並べて配置された第１と第２のリング状の制御要素１５，１６を含んでいる。この制御要素は、それぞれリング状の中間ディスク１４によって分離されている。それぞれ第１のリング状の制御要素１５は、内側に突出する２個の第１の制御機構１７を持っている。この第１の制御機構は、鍵棒３の制御溝セットの浅い両制御溝４，５に係合する。それぞれ第２のリング状の制御要素１６は、内側に突出する１個の第２の制御機構１８を持っている。この第２の制御機構は、鍵棒３の制御溝セットの深い制御溝６に係合する。リング状の両制御要素１５，１６は、その両側面に、円弧の一部だけにわたって延びるそれぞれ１つの案内溝１９，２０を備えている。この案内溝１９，２０は、リング状のすべての制御要素１５，１６において同じ大きさであり、同じ位置に設けられている。制御要素１５，１６の案内溝１９，２０には、制御要素１５，１６の間に配置された中間ディスク１４からそれぞれ軸方向に突出する当接ピン２１が係合している。中間ディスク１４は、その外周に、外向きに突出する突起２２を備えている。この突起は、コアスリーブ１３の凹部２３に係合し、中間ディスク１４をコアスリーブ１３に相対回転しないように連結している。従って、リング状の制御要素１５，１６は、案内溝１９，２０によって定められた角度範囲だけ、中間ディスク１４と相対的に回転することができる。それによって、鍵１の回転範囲も定められる。
【００２６】
シリンダ錠１１は、更に、少なくとも１個のロック要素２４を備えている。このロック要素は、図９に示した実施の形態の場合、シリンダ錠の縦中心線に対して平行に、コアスリーブ１３の縦方向スリット２５内に収容されたロック軸として形成されている。制御要素１５，１６の相応の位置において、円筒ケース１２と相対的にコアスリーブ１３を回転させるための解放位置（図１２）に、上記ロック軸を移動可能である。
【００２７】
両鍵半部を備えた鍵棒は、好ましくは１個の材料片からフライス加工される。鍵は、好ましくは可逆式鍵である。
【図面の簡単な説明】
【図１】  本発明による鍵の第１の実施の形態の中実に形成された鍵棒と、外面に各々１つの制御溝セットを含む２つの鍵棒半部を示す正面図である。
【図２】  図１の鍵の、前側に位置する左側の鍵棒半部を示す斜視図である。
【図３】  図１の鍵の、前側に位置する右側の鍵棒半部を示す斜視図である。
【図４】  図１の鍵の左側の側面を示す図である。
【図５】  図１の鍵の上面を示す図である。
【図６】  深い制御溝を有する、図１の鍵の右側の鍵棒半部の外周面の展開図である。
【図７】  浅い両制御溝を有する、図１の鍵の右側の鍵棒半部の外周面の展開図である。
【図８】  シリンダ錠の縦断面図である。
【図９】  ケース、コアスリーブ、ロック軸、２つの異なるリング状制御要素および１つの中間ディスクを備えた、図８のシリンダ錠の分解図である。
【図１０】  鍵が挿入され、第１のリング状制御要素の両制御機構が右側の鍵棒半部の浅い制御溝に係合している、図８のシリンダ錠の横断面図である。
【図１１】  鍵が挿入され、コアスリーブがロック位置に回転させられている、図８のシリンダ錠の横断面図である。
【図１２】  鍵が挿入され、コアスリーブが解放位置に回転させられ、第２のリング状制御要素の制御機構が右側の鍵棒半部の深い制御溝に係合している、図８のシリンダ錠の横断面図である。
【図１３】  鍵が挿入され、コアスリーブが解放位置に回転させられ、第１と第２のリング状制御要素の間に配置されたリング状の中間ディスクガコアスリーブと相対回転しないように保持され、この中間ディスクの内向きに突出する突起が鍵棒の互いに向き合う両縦方向溝に係合している、図８のシリンダ錠の横断面図である。
【符号の説明】
１                      鍵
３                      鍵棒
４，５，６              制御溝
７                      縦方向溝
１１                    シリンダ錠
１２                    円筒状ケース
１３                    コアスリーブ
１５                    第１の制御要素
１６                    第２の制御要素
１７                    第１の制御機構
１８                    第２の制御機構
１９，２０              案内溝
２１                    当接ピン
２４                    ロック要素
【図１】
0003764728.tif 000002
【図２】
0003764728.tif 000003
【図３】
0003764728.tif 000004
【図４】
0003764728.tif 000005
【図５】
0003764728.tif 000006
【図６】
0003764728.tif 000007
【図７】
0003764728.tif 000008
【図８】
0003764728.tif 000009
【図９】
0003764728.tif 000010
【図１０】
0003764728.tif 000011
【図１１】
0003764728.tif 000012
【図１２】
0003764728.tif 000013
【図１３】
0003764728.tif 000014